(57)【要約】      （修正有）【課題】調湿機能、消臭機能等を持つ機能性板材を収納装置内に配置するに当たり、その機能性板材の交換時に棚板の取外し等を不要として交換作業を容易化するとともに、収納物や手等が当たっても機能性板材が脱落しないようにする。【解決手段】収納装置Ａの天板１及び固定棚板からなる板材取付板の下面に機能性板材Ｐが互いに対向する両端部で前側の取付装置２０及び後側の係止部材１１により着脱可能に係止されて支持される。取付装置２０は、天板１及び固定棚板の下面に取付固定される固定部材２１と、この固定部材２１に一端が連結されて開き状態及び閉じ状態の間を回動可能とされ、閉じ状態で機能性板材Ｐの前端部を天板１及び固定棚板の下面との間に挟持する回動部材２２と、この回動部材２２を閉じ位置に保持する保持機構を備え、係止部材１１を支点として機能性板材Ｐを回動させて取り外し可能とされている。【選択図】図６
2010088614.tif 000002
【特許請求の範囲】
【請求項１】
天板と、底板と、左右の側板と、裏板と、前側の扉とを備えた収納装置において、
上記天板は板材取付板に構成されていて、該板材取付板の下面に機能性板材が互いに対向する両端部で１対の支持手段により着脱可能に係止されて支持されており、
上記１対の支持手段の少なくとも一方は、相対する支持手段を支点として上記機能性板材を回動させて取り外し可能な取付装置からなり、
上記取付装置は、板材取付板の下面に取付固定される固定部材と、該固定部材に一端が連結されて開き状態及び閉じ状態の間を回動可能とされ、閉じ状態で上記機能性板材の端部を板材取付板の下面との間に挟持する回動部材と、該回動部材を閉じ位置に保持する保持機構を備えていることを特徴とする収納装置。
【請求項２】
天板と、底板と、左右の側板と、裏板と、前側の扉と、少なくとも１枚の棚板とを備えた収納装置において、
上記天板又は棚板の少なくとも一方は板材取付板に構成されていて、該板材取付板の下面に機能性板材が互いに対向する両端部で１対の支持手段により着脱可能に係止されて支持されており、
上記１対の支持手段の少なくとも一方は、相対する支持手段を支点として上記機能性板材を回動させて取り外し可能な取付装置からなり、
上記取付装置は、板材取付板の下面に取付固定される固定部材と、該固定部材に一端が連結されて開き状態及び閉じ状態の間を回動可能とされ、閉じ状態で機能性板材の端部を板材取付板の下面との間に挟持する回動部材と、該回動部材を閉じ位置に保持する保持機構を備えていることを特徴とする収納装置。
【請求項３】
請求項１又は２の収納装置において、
取付装置の保持機構は、固定部材に設けられた固定側係合部と、回動部材に設けられ、上記固定側係合部に係合する回動側係合部とを有していて、回動側係合部が固定側係合部に係合することにより、回動部材を閉じ状態に保持するように構成されていることを特徴とする収納装置。
【請求項４】
請求項３の収納装置において、
取付装置の固定部材は、上下方向に延びる縦壁部と、
上記縦壁部と平行に垂下しかつ上端基部を支点にして下端先端部が縦壁部から離隔する方向に撓み変形可能な垂下片とを備えており、
固定側係合部は、上記垂下片の下端先端部又は該下端先端部に対向する縦壁部の少なくとも一方に、他方側に向かって突出する係止爪を有する一方、
回動部材は、水平方向に延びて基部が固定部材の下端部に薄肉ヒンジ部により回動可能に結合され、
上記回動部材の上面には、上方に延びて先端に球状部を有する回動側係合部が突設されており、
上記球状部を、上記垂下片の下端先端部及び縦壁部の間に垂下片を撓ませながら押し込んで係止爪と係止させることで、回動側係合部が固定側係合部に係合するように構成されていることを特徴とする収納装置。
【請求項５】
請求項１〜４のいずれか１つの収納装置において、
取付装置の回動部材に指掛け部が設けられていることを特徴とする収納装置。
【発明の詳細な説明】
【技術分野】
【０００１】
本発明は、収納装置に関し、特に、空気浄化剤や湿気吸着剤、防虫剤、芳香剤等の各種薬剤を収容可能なものに関する。
【背景技術】
【０００２】
一般に、玄関収納、下駄箱、キャビネット、クローゼット等の収納体においては、その収納物によって湿気や臭気が内部に籠もりがちとなる。そこで、収納体内の空気浄化のために、消臭剤、有機物質除去剤等の空気浄化剤や湿気吸着剤、防虫剤、芳香剤等の各種薬剤が充填された箱物を収納体内の棚板上に置いたり、薬剤が付着されたシートを収納体内部の棚板裏面等に貼着したりすることが行われている。
【０００３】
しかしながら、薬剤が充填された箱物を収納体内の棚板上に置くことは、収細物を出し入れする際に邪魔になるために好ましくなく、また、上記シートを貼着させた場合は、一度貼着すると取換えが困難になるという問題がある。
【０００４】
上記問題を解決するため、従来、例えば特許文献１及び特許文献２に示されるように、薬剤を収納体内の空間に放出可能な棚板が提案されている。特許文献１に示される棚板では、その裏面側に開口する開口溝が形成され、この開ロ溝の下面両側には内側に向かって延びる支持片が突設され、開口溝の少なくとも一端が棚板木口面において開口しており、薬剤を充填した薬剤充填物が、この開口から開口溝内に挿入されて支持片上に載置された状態で収納されるようになっている。
【０００５】
また、特許文献２に示される棚板では、棚板の手前側端部と奥側端部とに、それぞれ棚板の長手方向に沿って延びる断面Ｌ字形の係止片が垂設されており、消臭薬剤を充填した消臭シートが、これら２つの係止片間に掛け渡された状態で棚板の下面側に着脱自在に保持されるようになっている。
【特許文献１】特開２００３−１１６６５２号公報
【特許文献２】特開２００７−６８５９３号公報
【発明の開示】
【発明が解決しようとする課題】
【０００６】
そして、上記特許文献１や特許文献２に記載の技術では、消臭作用や湿気吸着作用を有する薬剤充填物や消臭シートが支持片や係止片により保持されているため、充填物や消臭シートが収納物を出し入れする際に邪魔になることがなく、また、それらの取換え自体も行うこともできる。
【０００７】
しかしながら、特許文献１に記載の技術では、薬剤充填物を交換する際に、棚板を外してから、新しい薬剤充填物を棚板木口面から入れる必要がある等、交換作業に手間がかかる。
【０００８】
一方、特許文献２の技術では、消臭シートをその幅方向の手前側端部が手前側係止片の水平支持片上に載置された状態で手前側方向に移動させた後、奥側方向に押して幅方向の奥側端部を奥側係止片の水平支持片上に載置することで、消臭シートを棚板の下面側に保持し、その取外し時には逆の動作を行うようになっている。そのため、棚板の下面と消臭シートとの間の隙間が大きく、収納物や手等が棚板に当たった際に、その衝撃により消臭シートが脱落する恐れがあった。
【０００９】
本発明は斯かる点に鑑みてなされたものであり、その目的は、上記薬剤充填物や消臭シート、或いは調湿機能を持つ板材等からなる機能性板材を収納装置内に配置する構造に工夫を凝らすことにより、その機能性板材の交換時に棚板の取外し等を不要として交換作業を容易化するとともに、収納物や手等が当たっても機能性板材が脱落しないようにすることにある。
【課題を解決するための手段】
【００１０】
上記の目的を達成するために、この発明では、機能性板材を、その対向する両端部にて収納装置の天板又は棚板の下面に支持するようにし、その支持手段として、固定部材と回動部材との間に機能性板材の端部を挟持する構造のものを用いるようにした。
【００１１】
具体的には、請求項１の発明では、天板と、底板と、左右の側板と、裏板と、前側開口を開閉する扉とを備えた収納装置が前提である。
【００１２】
そして、上記天板は板材取付板に構成されていて、該板材取付板の下面に機能性板材が互いに対向する両端部で１対の支持手段により着脱可能に係止されて支持されており、上記１対の支持手段の少なくとも一方は、相対する支持手段を支点として上記機能性板材を回動させて取り外し可能な取付装置からなる。この取付装置は、板材取付板の下面に取付固定される固定部材と、この固定部材に一端が連結されて開き状態及び閉じ状態の間を回動可能とされ、閉じ状態で上記機能性板材の端部を板材取付板の下面との間に挟持する回動部材と、この回動部材を閉じ位置に保持する保持機構を備えていることを特徴とする。
【００１３】
また、請求項２の発明では、天板と、底板と、左右の側板と、裏板と、前側開口を開閉する扉と、少なくとも１枚の棚板とを備えた収納装置が前提である。
【００１４】
そして、上記天板又は棚板の少なくとも一方は板材取付板に構成されていて、該板材取付板の下面に機能性板材が互いに対向する両端部で１対の支持手段により着脱可能に係止されて支持されており、上記１対の支持手段の少なくとも一方は、相対する支持手段を支点として上記機能性板材を回動させて取り外し可能な取付装置からなり、上記取付装置は、板材取付板の下面に取付固定される固定部材と、この固定部材に一端が連結されて開き状態及び閉じ状態の間を回動可能とされ、閉じ状態で機能性板材の端部を板材取付板の下面との間に挟持する回動部材と、この回動部材を閉じ位置に保持する保持機構を備えていることを特徴とする。
【００１５】
本発明では、上記機能性板材とは調湿機能、消臭機能、有機物質除去機能、防虫機能、芳香機能等の少なくともいずれか１つを有するものをいう。
【００１６】
この請求項１又は２の発明では、収納装置の天板又は棚板が板材取付板であり、この板材取付板の下面に機能性板材が対向する両端部で１対の支持手段により着脱可能に係止されて支持されており、この機能性板材により、収納装置内部の空間に対し必要な機能が発揮される。
【００１７】
そして、上記１対の支持手段の少なくとも一方が取付装置からなり、この取付装置は、固定部材と、固定部材に回動可能に連結されて開閉する回動部材と、回動部材を閉じ状態に保持する保持機構を備えているので、その機能性板材を板材取付板に支持する際、支持手段の一方のみが取付装置である場合にあっては、機能性板材の一端部を他方の支持手段に係止し、他端部を取付装置の固定部材と、開き状態にある回動部材との間に嵌合した後、その回動部材を回動により閉じて保持機構により閉じ状態に保持し、機能性板材の端部を板材取付板の下面と回動部材との間に挟持する。
【００１８】
また、支持手段の両方が取付装置である場合にあっては、例えば一方の取付装置の回動部材を閉じたままにして、その取付装置に機能性板材の一端部を係止し、他端部を他方の取付装置の固定部材と、開き状態にある回動部材との間に嵌合した後、その回動部材を回動させて閉じるか、或いは、両方の取付装置の回動部材を開いておいて、機能性板材の両端部をそれぞれ両取付装置の固定部材に押し当てて両回動部材を同時に閉じる。そして、機能性板材を交換等のために取り外すときには、上記と逆の手順を行い、取付装置の回動部材を開いて機能性板材を取り外せばよい。
【００１９】
このように機能性板材の交換時には取付装置の回動部材を開閉するだけでよく、従来のような棚板の取外し等を不要として機能性板材の交換作業を容易に行うことができる。また、機能性板材は両端部が支持手段によって支持されているので、収納物や手等が当たったとしても機能性板材が脱落することはない。
【００２０】
請求項３の発明では、上記請求項１又は２の収納装置において、その取付装置の保持機構は、固定部材に設けられた固定側係合部と、回動部材に設けられ、上記固定側係合部に係合する回動側係合部とを有していて、回動側係合部が固定側係合部に係合することにより、回動部材を閉じ状態に保持するように構成されていることを特徴とする。
【００２１】
この請求項３の発明では、回動側係合部が固定側係合部に係合すると、回動部材が閉じ状態に保たれ、機能性板材の端部が固定部材と回動部材との間に挟持状態に保持される。こうすると、機能性板材を確実に挟持できる保持機構が得られる。
【００２２】
請求項４の発明では、請求項３の収納装置において、取付装置の固定部材は、上下方向に延びる縦壁部と、この縦壁部と平行に垂下しかつ上端基部を支点にして下端先端部が縦壁部から離隔する方向に撓み変形可能な垂下片とを備えており、上記固定側係合部は、上記垂下片の下端先端部又は該下端先端部に対向する縦壁部の少なくとも一方に、他方側に向かって突出する係止爪を有する一方、回動部材は、水平方向に延びて基部が固定部材の下端部に薄肉ヒンジ部により回動可能に結合され、上記回動部材の上面には、上方に延びて先端に球状部を有する回動側係合部が突設されており、上記球状部を、上記垂下片の下端先端部及び縦壁部の間に垂下片を撓ませながら押し込んで係止爪と係止させることで、回動側係合部が固定側係合部に係合するように構成されていることを特徴とする。
【００２３】
この請求項４の発明では、回動部材は薄肉ヒンジ部を支点として回動し、この回動部材を閉じ方向に回動させると、回動側係合部の球状部が上昇して垂下片を撓ませながら、その垂下片の下端先端部及び縦壁部の間に押し込まれて固定側係合部の係止爪に係合し、このことで回動部材が閉じ状態に保持される。回動部材を開き方向に回動させれば、上記球状部と係止爪との係合が外れて回動部材はフリーの状態となり、開き方向に回動可能となる。よって、機能性板材を確実に挟持できる保持機構が容易に得られる。
【００２４】
請求項５の発明では、請求項１〜４のいずれか１つの収納装置において、その取付装置の回動部材に指掛け部が設けられていることを特徴とする。このことで、回動部材の開閉の際には指掛け部に指を掛けて開閉すればよく、その開閉を容易に行うことができる。
【発明の効果】
【００２５】
以上説明したように、請求項１及び２の発明によると、収納装置の天板又は棚板を板材取付板として、その下面に機能性板材を両端部で１対の支持手段により着脱可能に支持し、両支持手段の少なくとも一方を、板材取付板の下面に取付固定される固定部材と、この固定部材に一端が連結されて開き状態及び閉じ状態の間を回動可能とされ、閉じ状態で機能性板材の端部を板材取付板の下面との間に挟持する回動部材と、この回動部材を閉じ位置に保持する保持機構とで構成された取付装置としたことにより、機能性板材の交換時に取付装置の回動部材を開閉して、その機能性板材の交換作業を容易に行うことができるとともに、収納物や手等が当たったとしても機能性板材の脱落防止を図ることができる。
【００２６】
請求項３の発明によると、取付装置の保持機構として、固定部材に設けられた固定側係合部と、回動部材に設けられた回動側係合部とを有し、回動側係合部の固定側係合部への係合により回動部材を閉じ状態に保持するようにしたことにより、機能性板材を確実に挟持できる保持機構が得られる。
【００２７】
請求項４の発明によると、取付装置の固定部材の上下方向に延びる縦壁部と平行に垂下しかつ上端基部を支点にして下端先端部が縦壁部から離隔する方向に撓み変形可能な垂下片を設け、この垂下片の下端先端部又は縦壁部の少なくとも一方に、他方側に向かって突出する係止爪を形成する一方、回動部材を、固定部材の下端部に薄肉ヒンジ部により回動可能に結合し、その回動部材の上面に、先端に球状部を有する回動側係合部を突設し、その球状部を、垂下片の下端先端部及び縦壁部の間に垂下片を撓ませながら押し込んで係止爪と係止させて、回動側係合部を固定側係合部に係合させるようにしたことにより、機能性板材を確実に挟持できる保持機構が容易に得られる。
【００２８】
請求項５の発明によると、取付装置の回動部材に指掛け部を設けたことにより、指掛け部に指を掛けて回動部材の開閉を容易に行うことができる。
【発明を実施するための最良の形態】
【００２９】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００３０】
［実施形態１］
図１及び図２は本発明の実施形態に係る収納装置Ａを示し、この収納装置Ａは、住宅の玄関において靴等を収納する玄関収納として用いられる縦長箱状のものである。収納装置Ａは左右方向に長い天板１及び底板２と、上下方向に長い左右１対の側板３，３と、裏板４及び左右１対の扉５，５とを備えており、上下に対向する天板１及び底板２と、左右に対向する側板３，３とが各々の端部同士でねじ止め及び接着剤で接合固定されて矩形状の枠体に組み立てられ、その枠体の後側開口周縁部に薄板からなる裏板４がねじ止め及び接着剤で固定されて後側開口が閉塞されている。一方、枠体の前側開口の左右側縁部（左右の側板３，３の前端）にそれぞれ左右の扉５，５が上下複数の蝶番（図示せず）を介して回動可能に取付支持され、この観音開き式の左右の扉５，５により枠体（収納装置Ａ）の前側開口が開閉される。尚、図２は扉５，５を外した状態の収納装置Ａを示している。また、７は扉５の把持ハンドルである。
【００３１】
上記天板１、底板２、側板３及び扉５はＭＤＦ等の木質繊維板、合板、集成材、無垢の木材等の木質材料や、合成樹脂や、金属等からなる。また、必要に応じてそれらの表面に化粧を施した合成樹脂シート、突板単板等を貼着したり、塗装したりしたものが用いられる。
【００３２】
また、図３及び図６に示すように、裏板４の上下部には裏板補強桟６，６（上部の補強桟６のみ図示する）が裏板４の外側から取付固定されており、この補強桟６，６により、裏板４を補強するとともに、釘等により裏板４を固着する際に裏板４を天板１及び底板２に確実に固着するようにしている。補強桟６は、ＭＤＦ等の木質繊維板、合板、集成材、無垢の木材等の木質材料や、合成樹脂等からなる。
【００３３】
また、収納装置Ａの内部には、上下方向の略中央部に例えば１枚の固定棚板８が配置され、この固定棚板８の左右端部は左右の側板３，３に、また後端部は裏板４にそれぞれねじ止め及び接着剤により移動不能に固定されている。
【００３４】
また、天板１と固定棚板８との間、及び該固定棚板８と底板２との間には高さ位置の調整可能な複数枚（図示例では４枚）の自在棚板９，９，…が配置され、この各自在棚板９は、左右の側板３，３の前後位置の合計４箇所で同じ高さ位置に配置された４つ１組のダボ（図示せず）に載置されて固定支持されている。各ダボは各側板３の内面に形成したダボ穴（図示せず）に嵌合固定され、１組のダボに対応する４つ１組のダボ穴が複数組上下方向に並んで形成されており、ダボ穴に嵌合されるダボの位置を変更することで、各自在棚板９の高さ位置を調整するようになっている。
【００３５】
上記天板１及び固定棚板８は、後述する機能性板材Ｐを取り付けるための板材取付板に構成されている。この天板１及び固定棚板８に対する機能性板材Ｐの取付構造は同一であるので、以下の説明では、天板１についてのみ説明し、固定棚板８については説明を省略する。
【００３６】
図３に示すように、板材取付板としての天板１（及び固定棚板８）の下面における前端寄り位置には一方の支持手段としての取付装置２０が、また裏板４に近接した後端位置には他方の支持手段としての係止部材１１がそれぞれ取付固定されている。そして、図６に示すように、天板１（及び固定棚板８）の下面には機能性板材Ｐが互いに前後に対向する両端部で、前側の取付装置２０と後側の係止部材１１とにより着脱可能に係止されて支持されている。
【００３７】
（機能性板材）
上記機能性板材Ｐは、収納装置Ａ内の天板１（及び固定棚板８）の前後幅よりも少し狭くかつ左右長さと略同じ長さを有する左右方向に長い板状のもので、収納装置Ａ内の空気中の湿度を調節する調湿性を有する。より具体的には、例えば特開２００５−２２１５８号公報で開示されているＢ型シリカゲルが混合された板材等を用いることができる。また、必要に応じて、このような調湿性を有する板材に消臭機能等の機能を有する塗料を板材表面の全体又は部分的に塗布しておいてもよい。また、調湿性を有する板材に限らず、消臭機能を有する板材、有機物質除去機能を有する板材、防虫機能を有する板材、芳香機能を有する板材等であってもよく、これら複数の機能を併せ持つ板材であってもよい。但し、本実施形態では、機能性板材Ｐの取付けや取外しが容易であるので、例えば調湿性を有する板材のように、天日に干す等の作業によりその機能を維持できる板材、つまり取換作業を繰り返し行う必要がある機能性板材Ｐが特に有用である。
【００３８】
（係止部材）
上記後側の係止部材１１は長尺のもので、天板１（及び固定棚板８）の下面後端部に左右方向に延びるように取付固定されている。この係止部材１１は、図５に拡大して示すように、断面略Ｌ字状の細長状のもので、水平左右方向に延びる板状の取付部１２と、この取付部１２の後端から下方に向かって延びる板状の支持部１３と、この支持部１３の下端から前方に向かって取付部１２と平行に延びかつ取付部１２よりも短い幅の板状の係止部１４とからなり、取付部１２と係止部１４との間隔は機能性板材Ｐの後端部が斜めに挿入可能な寸法に設定されている。そして、取付部１２には複数のねじ挿通孔１５，１５，…が係止部材１１の長さ方向に並んで開口されており、このねじ挿通孔１５にねじ１６（図３及び図６参照）を挿通して天板１（及び固定棚板８）下面の後端部に螺合締結することにより、係止部材１１が天板１（及び固定棚板８）の下面に取付固定されている。
【００３９】
（取付装置）
一方、前側の取付装置２０も長尺のもので、天板１（及び固定棚板８）下面の前端部寄り位置に左右方向に延びるように取付固定されており、この取付装置２０において、上記機能性板材Ｐを上記係止部材１１を支点として回動させて取り外し可能となっている。
【００４０】
すなわち、この取付装置２０は、図４に拡大して示すように、天板１（及び固定棚板８）の下面に取付固定される板状の固定部材２１と、この固定部材２１に前端が連結されて開き状態及び閉じ状態の間を回動可能とされ、閉じ状態で機能性板材Ｐの前端部を固定部材２１との間に挟持して該機能性板材Ｐを天板１（及び固定棚板８）の下面で保持する回動部材２２と、この回動部材２２を閉じ位置に保持する保持機構２３とを備えている。この保持機構２３は、固定部材２１に設けられた固定側係合部２４と、回動部材２２に設けられ、上記固定側係合部２４に係合する回動側係合部２５とを有していて、回動側係合部２５が固定側係合部２４に係合することにより、回動部材２２を閉じ状態に保持する。
【００４１】
より具体的には、上記固定部材２１は、水平左右方向に延びる板状の取付部２１ａと、この取付部２１ａの前端から下方に向かって延びる上下方向の板状の縦壁部２１ｂと、この縦壁部２１ｂの下端から前側に向かって延びる板状の連結部２１ｃと、この連結部２１ｃの前端に上下中間部の下端寄り部分で連結され、縦壁部２１ｂと平行に上下方向に延びる板状のカバー部２１ｄとを備え、取付部２１ａには複数のねじ挿通孔２６，２６，…が取付装置２０の長さ方向に並んで開口されており、このねじ挿通孔２６にねじ２７（図６参照）を挿通して天板１（及び固定棚板８）下面の前部に螺合締結することにより、取付装置２０が天板１（及び固定棚板８）の下面に取付固定されている。そして、上記カバー部２１ｄは上端部が取付部２１ａの上面と同じ高さ位置に位置しており、取付装置２０の天板１（及び固定棚板８）下面への取付状態で縦壁部２１ｂを前側から見て覆うようになっている。
【００４２】
上記固定部材２１の取付部２１ａには、その前端寄り部分に上記縦壁部２１ｂと平行に垂下する板状の垂下片３０が一体に形成され、この垂下片３０は、その上端基部を支点にして下端先端部が縦壁部２１ｂから離隔する方向に撓み変形可能となっている。そして、垂下片３０の下端先端部には、該下端先端部に対向する縦壁部２１ｂ側（前側）に向かって突出する係止爪３１が形成され、この係止爪３１と縦壁部２１ｂとで上記固定側係合部２４が構成されている。尚、係止爪３１は縦壁部２１ｂに設けてもよく、或いは垂下片３０の下端先端部と縦壁部２１ｂとの双方に設けてもよい。
【００４３】
一方、上記回動部材２２は、水平左右方向に延びる板状のもので、その前端基部が上記固定部材２１のカバー部２１ｄ下端に薄肉ヒンジ部３３を介して回動可能に結合されている。回動部材２２は、この薄肉ヒンジ部３３を支点として、図４で時計回り方向に回動した開き状態と反時計回り方向に回動した閉じ状態との間を回動し、その閉じ状態では固定部材２１の取付部２１ａと略平行（詳しくは後側に向かって上側に向かうように少し傾斜する）となって該取付部２１ａとの間に機能性板材Ｐの前端部を挟持する一方、開き状態では、後端先端部が取付部２１ａから離れるように下側に移動して、機能性板材Ｐを係止部材１１に係止された状態の後端部を支点として下回りに回動させて、その前端部を取付部２１ａとの間から離脱させるようになっている。
【００４４】
回動部材２２の上面には上記固定側係合部２４に対応して回動側係合部２５が突設されている。この回動側係合部２５は、回動部材２２の上面から上方に延びる板状の支持部３５と、この支持部３５の先端に一体に形成された断面球状の球状部３６とからなり、この球状部３６を、上記固定側係合部２４の垂下片３０の下端先端部及び縦壁部２１ｂの間に垂下片３０を撓ませながら押し込んで係止爪３１と係止させることで、回動側係合部２５が固定側係合部２４に係合するようになっている。
【００４５】
さらに、上記回動部材２２の後端下面には下方に向かった後に後側に向かうように湾曲して延びる板状の指掛け部３８が一体に形成されている。
【００４６】
尚、上記係止部材１１及び取付装置２０は、いずれもＡＢＳ（アクリロニトリル・ブタジエン・スチレン）樹脂等の合成樹脂や金属等の材料からなる。そして、例えば押出成形によって形成するのが好ましい。
【００４７】
（機能性板材の着脱方法）
次に、上記収納装置Ａ内に機能性板材Ｐを着脱する手順について図６により説明する。機能性板材Ｐを装着する場合には、扉５，５を開き、図６（ａ）に示すように、取付装置２０の回動部材２２を開き状態にしておき、機能性板材Ｐを長さ方向が左右方向になるように手で支えながら後上がりに傾斜させて、その幅方向の一端部である後端部を、天板１（及び固定棚板８）下面の後側（収納装置Ａの奥側）にある係止部材１１の取付部１２と係止部１４との間に挿入して嵌め込む。
【００４８】
次いで、図６（ｂ）に示すように、機能性板材Ｐを天板１（及び固定棚板８）の下面に向けて持ち上げて、その幅方向の他端部である前端部を前側の取付装置２０における固定部材２１の取付部２１ａ下面に押し当てる。
【００４９】
その後、図６（ｃ）に示すように、取付装置２０の指掛け部３８を指先で押し上げて回動部材２２を回動させて開き状態から閉じ状態に切り換え、保持機構２３における固定側係合部２４の係止爪３１と縦壁部２１ｂと間に回動側係合部２５の球状部３６を垂下片３０を撓ませながら押し込んで、回動側係合部２５を固定側係合部２４に係合させ、回動部材２２を閉じ状態に保持する。このことで、機能性板材Ｐの前端部が取付装置２０における固定部材２１の取付部２１ａと回動部材２２との間に挟持され、機能性板材Ｐが天板１（及び固定棚板８）の下面に固定保持される。
【００５０】
一方、逆に、機能性板材Ｐを取り外す場合には、上記と逆の手順を行い、指掛け部３８に指先を引っ掛けて固定側係合部２４と回動側係合部２５との係合を解除させながら、回動部材２２を閉じ状態から開き状態に回動させ、その開き状態で機能性板材Ｐを手で支えながら降ろして取付装置２０及び係止部材１１から取り外せばよい。
【００５１】
したがって、この実施形態においては、機能性板材Ｐの交換時には取付装置２０の回動部材２２を開閉するだけでよく、棚板の取外し等は不要であり、機能性板材Ｐの交換作業を容易に行うことができる。
【００５２】
また、機能性板材Ｐは両端部を取付装置２０と係止部材１１とにより支持されているので、収納物や手等が当たったとしても機能性板材Ｐが脱落することはない。
【００５３】
さらに、取付装置２０の回動部材２２を閉じ状態に保持する保持機構２３として、固定側係合部２４と回動側係合部２５とを設け、両者の係合時には固定側係合部２４の係止爪３１と縦壁部２１ｂとの間に回動側係合部２５の球状部３６を垂下片３０を撓ませながら押し込んで両係合部２４，２５を係合させるので、機能性板材Ｐを確実に支持することができ、その脱落をさらに確実に防止することができる。
【００５４】
また、取付装置２０の回動部材２２に指掛け部３８が設けられているので、回動部材２２の開閉の際には指掛け部３８に指を掛けて開閉して、その開閉を容易に行うことができる。
【００５５】
また、上記天板１（及び固定棚板８）下面の前側に取付装置２０が、また後側に係止部材１１がそれぞれ取付固定され、両者の間に機能性板材Ｐが支持されて装着されているので、その装着状態で収納装置Ａの扉５，５を開いても、機能性板材Ｐの木口部（端部）は取付装置２０の固定部材２１におけるカバー部２１ｄに隠蔽されて収納装置Ａの前側から見えず、外観上の見掛けが良い。
【００５６】
［実施形態２］
図７は本発明の実施形態２を示し、取付装置２０の構成を変えたものである（尚、図４と同じ部分については同じ符号を付してその詳細な説明は省略する）。すなわち、この実施形態の取付装置２０では、固定部材２１のカバー部２１ｄは取付部２１ａの前端から下方に向かって延びており、実施形態１で説明した縦壁部２１ｂは省略されている。また、垂下片３０の下端には係止爪３１が形成され、この係止爪３１で固定側係合部２４が構成されている。
【００５７】
回動部材２２は、カバー部２１ｄの下端に薄肉ヒンジ部３３を介して回動可能に連結され、この回動部材２２の上面には支持部３５が突設され、この支持部３５の上端には回動側係合部２５をなす係止爪３７が形成されており、回動部材２２の閉じ状態では、この回動側係合部２５の係止爪３７と固定側係合部２４の係止爪３１とを係止させることで、両係合部２４，２５が係合するようになっている。その他の構成は実施形態１と同様である。従って、この実施形態でも実施形態１と同様の作用効果を奏することができる。
【００５８】
［その他の実施形態］
尚、上記実施形態では、板材取付板を天板１及び固定棚板８として、両方の下面にそれぞれ機能性板材Ｐ，Ｐを支持するようにしているが、天板１の下面のみや固定棚板８の下面のみに機能性板材Ｐを取り付けてもよい。また、その他、必要に応じて自在棚板９をも板材取付板として、その下面に支持するようにしてもよい。その場合でも、機能性板材Ｐを着脱する際に自在棚板９の取外しは不要であり、自在棚板９を収納装置Ａ内に取り付けたままて機能性板材Ｐの着脱を行うことができる。
【００５９】
さらに、上記実施形態は、固定棚板８及び自在棚板９を有する収納装置Ａであるが、本発明は棚板のない収納装置にも適用でき、天板１を板材取付板として、その下面に機能性板材Ｐを支持すればよい。
【００６０】
また、上記実施形態では、長尺の取付装置２０及び係止部材１１を板材取付板（天板１及び固定棚板８）下面の長さ方向たる左右方向に沿って固定し、機能性板材Ｐの幅方向に対向する長辺端部を固定するようにしているが、取付装置２０及び係止部材１１を板材取付板下面の幅方向に沿って固定し、機能性板材Ｐの長さ方向に対向する短辺端部を固定するようにしてもよい。つまり、取付装置２０及び係止部材１１を天板１（及び固定棚板８）下面の前後位置に配置するのに代え、これら取付装置２０及び係止部材１１を天板１（及び固定棚板８）下面の左右に対向して配置してもよい。
【００６１】
但し、長方形状の機能性板材Ｐの場合、短辺端部を固定するようにすると、経時変化により機能性板材Ｐが撓む可能性があるため、上記実施形態のように、長辺端部を固定することが望ましい。また、機能性板材Ｐの木口面が扉５，５を開いた状態で収納装置Ａ前側から見えないようにできる点では、上記実施形態の方が好ましい。
【００６２】
また、上記実施形態では、天板１（及び固定棚板８）下面の前側に取付装置２０を、また後側に係止部材１１をそれぞれ配置しているが、逆に、天板１（及び固定棚板８）下面の前側に係止部材１１を、また後側に取付装置２０をそれぞれ配置してもよい。
【００６３】
さらに、上記実施形態では、天板１（及び固定棚板８）下面の前後位置に取付装置２０及び係止部材１１を配置しているが、係止部材１１を取付装置２０に代え、２つの取付装置２０，２０を用いて天板１（及び固定棚板８）の下面に機能性板材Ｐを固定するようにしてもよい。
【００６４】
また、上記実施形態では、観音開き式（両開き式）の左右の扉５，５により枠体（収納装置Ａ）の前側開口が開閉されるようにしているが、前側の扉としては、片開きの開き戸、折れ戸、引き戸等、その他各種の扉であってもよい。
【００６５】
また、上記実施形態は、住宅において靴等を収納する玄関収納として用いられる収納装置Ａであるが、本発明は、その他用途の収納装置にも適用できるのは勿論である。
【産業上の利用可能性】
【００６６】
本発明は、内部に機能性板材が収容配置される収納装置の技術分野で極めて有用であり、産業上の利用可能性が高い。
【図面の簡単な説明】
【００６７】
【図１】図１は、本発明の実施形態１に係る収納装置の正面図である。
【図２】図２は、扉を取り外して示す収納装置の正面図である。
【図３】図３は、天板に係止部材及び取付装置が取付固定された状態を、扉及び右側側板を取り外して示す拡大斜視図である。
【図４】図４は、取付装置の拡大側面図である。
【図５】図５は、係止部材の拡大側面図である。
【図６】図６は、機能性板材の取付手順を、扉及び右側側板を取り外して示す側面図である。
【図７】図７は、実施形態２を示す図４相当図である。
【符号の説明】
【００６８】
Ａ  収納装置
Ｐ  機能性板材
１  天板（板材取付板）
２  底板
３  側板
４  裏板
５  扉
８  固定棚板（板材取付板）
９  自在棚板
１１  係止部材（支持手段）
２０  取付装置（支持手段）
２１  固定部材
２１ｂ  縦壁部
２２  回動部材
２３  保持機構
２４  固定側係合部
２５  回動側係合部
３０  垂下片
３１  係止爪
３３  薄肉ヒンジ部
３６  球状部
３７  係止爪
３８  指掛け部
【図１】
2010088614.tif 000003
【図２】
2010088614.tif 000004
【図３】
2010088614.tif 000005
【図４】
2010088614.tif 000006
【図５】
2010088614.tif 000007
【図６】
2010088614.tif 000008
【図７】
2010088614.tif 000009